(57)【特許請求の範囲】
【請求項１】
種々の測定機器が内蔵された本体部と、この本体部に固定的に設置された、電源側の３つの端子と負荷側の３つの端子とからなる測定端子部と、前記本体部に取り付けられた表示部と、を備える測定端子一体型の電力量計検査装置であって、
前記本体部は、
前記電源側の３つの端子の電圧を測定する電圧測定手段と、
前記電源側の３つの端子に三相電圧交流が供給されている場合に、相回転の検出を行う相回転検出手段と、
前記電圧測定手段によって測定された電圧と、前記相回転検出手段によって検出された相回転とをもとに単相２線式、単相３線式または三相３線式の配線方式のうちいずれの配線方式であるかを判別する判別手段と、
前記負荷側の３つの端子に接続されて測定対象の電力量計を動作させるための電気負荷手段と、を有し
前記測定端子部は、前記測定対象である単相２線式、単相３線式または三相３線式のいずれかの配線方式の電力量計に接続されるものであり、当該電力量計の端子群の配列とピッチが合致されているものであり、
前記表示部は、前記判別手段によって判別された配線方式を含む検査結果を表示する結果表示部を備え、
前記表示部が見えるように前記本体部を持って前記測定端子部を測定対象となる電力量計の端子群に接触させることにより、一義的に前記検査結果が前記表示部に表示される電力量計検査装置。
【請求項２】
前記電力量計検査装置の前記測定端子部は、
前記電力量計の端子群の配列とピッチが合致しない場合にも、測定のために前記電力量計と接続をすることができるアダプタを有する、請求項１に記載の電力量計検査装置。
【請求項３】
前記測定端子部に絶縁物で構成されたガイドを備える請求項１または２に記載の電力量計検査装置。
【発明の詳細な説明】
【技術分野】
【０００１】
本発明は、電力量計の設置に伴う配線および動作確認のための電力量計検査装置に関する。
【背景技術】
【０００２】
電力量計の設置の目的は、電力取引のために正確な計量を行うことである。従来、検査員は、配線工事後の自主点検検査では、電圧計・検相器等の測定器を使用し、電力量計が正常な使用状態であることを確認後、実際の電気機器等を使用することで電力量計が正常に動作するか否かを確認していた。
【０００３】
従来技術としては、電子式電力量計の計量パルスを活用して動作確認する方法が紹介されている（例えば、特許文献１参照）。また、交流電圧と三相相順を測定する機器も紹介されている（例えば、特許文献２、３参照）。しかし、電力量計の検査用に電圧測定、相回転検出、動作確認等の一連の必要な検査をすることができる機器は見当たらない。
【０００４】
【特許文献１】実公平８−１５０３号公報
【特許文献２】特開平６−２１３９５２号公報
【特許文献３】特開２００３−１１４２４６号公報
【発明の開示】
【発明が解決しようとする課題】
【０００５】
電力量計の設置に伴う配線および動作確認においては、複数の種類の測定器を選択的に使用し、また、実際の電気機器等を電力量計に接続して動作確認をするので、すべての測定を終了するのに長時間を要するという問題があった。また、測定に不慣れな検査員は、電力量計の測定方法を誤り、測定器を電力量計に逆接続することや、測定器や電力量計の活線端子間を短絡させることがあるという問題もあった。
【０００６】
本発明は電力量計の設置に伴う配線方式、電圧、相回転および電力量計の動作確認等の一連の必要な検査を一回の操作で行うことができる電力量計検査装置を提供することを目的とする。
【０００７】
上記の課題を解決するため、発明者は電力量計の設置・検査を実際に行っている経験に基づいて以下の発明をした。
【課題を解決するための手段】
【０００８】
（１）種々の測定機器が内蔵された本体部と、この本体部に固定的に設置された複数の端子からなる測定端子部と、前記本体部に取り付けられた表示部と、を備える測定端子一体型の電力量計検査装置であって、前記本体部は、電圧測定手段と、相回転検出手段と、測定対象の電力量計を動作させるための電気負荷とを有し、前記測定端子部は、前記測定対象の電力量計に接続されるものであり、当該電力量計の端子群の配列とピッチが合致されているものであり、前記表示部は、検査結果を表示する結果表示部を備え、前記表示部が見えるように前記本体部を持って前記測定端子部を測定対象となる電力量計の端子群に接触させることにより、一義的に検査結果が前記表示部に表示される電力量計検査装置。
【０００９】
（１）の発明によれば、本発明の電力量計検査装置の本体部は電圧測定手段と、相回転検出手段と、測定対象の電力量計を動作させるための電気負荷とを有し、測定端子と一体型となっている。本発明の電力量計検査装置の測定端子部は電力量計の端子群の配列とピッチが合致しているので、電力量計に確実に接続することができる。表示部は検査結果を表示する結果表示部を有する。その表示部が見えるように本体部を持って測定端子部を測定対象となる電力量計の端子群に接触させることにより一義的に端子間の接続が決まり、必要な一連の検査を行って、その検査結果を表示部に表示する。
【００１０】
したがって、次のような効果が得られる。本発明の電力量計検査装置の本体部は電圧測定手段と、相回転検出手段と、測定対象の電力量計を動作させるための電気負荷とを有し、検査結果を表示する結果表示部を備えることから、一連の必要な検査をすることができる。本発明の電力量計検査装置の測定端子部は対象の電力量計の端子群の配列とピッチが合致されており、本体一体型であることから、検査員の誤った測定および誤った接続を防止することができる。
【００１１】
（２）単相２線式、単相３線式または三相３線式の配線方式を検査する手段を有し、前記結果表示部は、検査結果を表示する（１）に記載の電力量計検査装置。
【００１２】
（２）の発明によれば、本発明の電力量計検査装置は単相２線式、単相３線式または三相３線式の配線方式を検査する手段を有し、結果表示部は検査結果を表示する。
【００１３】
したがって、次のような効果が得られる。本発明の電力量計検査装置を用いることにより、単相２線式電力量計、単相３線式電力量計または三相３線式電力量計の設置に伴う配線方式の確認をすることができる。
【００１４】
（３）前記電力量計検査装置の前記測定端子部は、前記電力量計の端子群の配列とピッチが合致しない場合にも、測定のために前記電力量計と接続をすることができるアダプタを有する、（１）乃至（２）に記載の電力量計検査装置。
【００１５】
（３）の発明によれば、本発明の電力量計検査装置の測定端子部は、電力量計の端子群の配列とピッチが合致しない場合にも、アダプタを使用すれば、その測定端子部と電力量計とを接続することができる。
【００１６】
したがって、次のような効果が得られる。本発明の電力量計検査装置の測定端子部が電力量計の端子群の配列とピッチが合致しないので直接接続できない場合であっても、アダプタを使用して接続できるので、検査員の誤った測定、誤った接続を防止することができる。
【００１７】
（４）前記測定端子部若しくは前記アダプタに絶縁物で構成されたガイドを備える（３）に記載の電力量計検査装置。
【００１８】
（４）の発明によれば、本発明の電力量計検査装置の測定端子部若しくはアダプタに絶縁物で構成されたガイドを備えている。
【００１９】
したがって、次のような効果が得られる。本発明の電力量計検査装置の測定端子部と電力量計とをガイドを用いて接続するので、検査員の誤った測定、誤った接続を、なお一層、防止することができる。
【発明の効果】
【００２０】
本発明によれば、本発明の電力量計検査装置の本体部は電圧測定手段と、相回転検出手段と、測定対象の電力量計を動作させるための電気負荷とを有し、測定端子と一体型となっていることから、電力量計の設置に伴う配線の確認および電力量計の動作確認を行うことができる。本発明の電力量計検査装置の測定端子部は電力量計に接続されるもので、当該電力量計の端子群の配列とピッチが合致されていることから、検査員の誤った測定および誤った接続を防止することができる。
【発明を実施するための最良の形態】
【００２１】
以下、本発明を実施するための最良の形態について添付した図面を参照しながら説明する。なお、これはあくまでも一例であって、本発明の技術的範囲はこれに限られるものではない。
【００２２】
［第１の実施形態］
図１は、本発明に係る電力量計検査装置の構成を示すブロック図である。図２は、電力量計検査装置の外観図である。図３は、本発明に係る電力量計検査装置と電力量計とを接続する場合の図である。図４は、検査員が電力量計検査装置を使用する場合の操作と電力量計検査装置の動作フローを示す。図５は判定手段による判定とその後の処理の一実施例を示すフローチャート図である。
【００２３】
図１に示すように、電力量計検査装置１０は、種々の測定機器が内蔵された本体部１５と、本体部１５に固定的に設置された複数の端子７１、７２、７３、６１、６２、６３からなる測定端子部８０と、本体部１５に取り付けられた表示部５０と、を備える。本体部１５に内蔵された種々の測定機器は、電気負荷２０と、電圧測定手段３０と、相回転検出手段４０とを備える。測定端子部８０は電力量計１００（図３参照）の端子７１ａ、７２ａ、７３ａ、６１ａ、６２ａ、６３ａに接続する。図１のＡ部の端子７１、７２、７３は、それぞれ、電力量計１００の電源側の端子７１ａ、７２ａ、７３ａ（図３参照）に接続する測定端子部である。図１のＢ部の端子６１、６２、６３は、それぞれ、電力量計１００の負荷側の端子６１ａ、６２ａ、６３ａ（図３参照）に接続する測定端子部である。端子７１、７２、７３と端子６１、６２、６３との配置は、電力量計１００の端子７１ａ、７２ａ、７３ａと端子６１ａ、６２ａ、６３ａとの配列とピッチを合致させている。
【００２４】
電圧測定手段３０は、端子７１、７２、７３間の電圧を測定する。相回転検出手段４０は、端子７１、７２、７３に三相電圧交流の電圧が印加された場合の相回転の検出を行う。電気負荷２０は、端子６１、６２、６３が電力量計１００の負荷側の端子６１ａ、６２ａ、６３ａに接続された場合に、電力量計１００に実負荷が接続されていなくとも電力量計１００を動作させるための擬似負荷である。電気負荷２０は、抵抗、コンデンサ、リアクトル等のインピーダンスを持つ素子またはその組合せで実現できる。また、半導体回路によって負荷を可変とすることもできる。表示部５０は、電力量計１００の検査結果を表示する部分である。表示部５０は、液晶、有機ＥＬなどの画像を表示する部品で実現することができる。また、表示部５０はＬＥＤであっても良い。
【００２５】
図２は、電力量計検査装置１０の外観図である。図２に示すように、Ａ部の端子７１、７２、７３と、Ｂ部の端子６１、６２、６３ならびに表示部５０は本体部１５に一体的に形成されている。表示部５０は、測定端子部８０を電力量計１００の端子に向けた場合に、本体部１５の表側になるように、本体部１５に配置されている。したがって、電力量計１００を測定する際に、検査員が本体部１５を持って表側の表示部５０を見ながら行うことができるので、測定端子部８０の位置は一義的に決まる。
【００２６】
図３は、検査員が電力量計検査装置１０を電力量計１００に接続するときの状態を示している。図３（ａ）は接続前の図、図３（ｂ）は接続操作中の図、図３（ｃ）は接続後の図である。電力量計検査装置１０の端子７１、７２、７３および端子６１、６２、６３は電力量計１００の端子７１ａ、７２ａ、７３ａおよび端子６１ａ、６２ａ、６３ａの配列とピッチが合致している。したがって、検査員は電力量計検査装置１０と電力量計１００とを確実に接続することができる。検査員は接続後、後述する一連の検査を行う。
【００２７】
上記のように、検査員が電力量計１００の測定をする際に本体部１５の表側の表示部５０を見ながら行うので、電力量計検査装置１０の端子７１、７２、７３および端子６１、６２、６３の位置は一義的に決まる。また、端子７１、７２、７３と端子６１、６２、６３の配置は、電力量計１００の端子７１ａ、７２ａ、７３ａと端子６１ａ、６２ａ、６３ａとの配列とピッチを合致させている。したがって、測定に不慣れな検査員でも、逆接続するという誤った測定方法や、活線端子間を短絡させるという誤った操作方法を行うことはない。
【００２８】
図４は、検査員が電力量計検査装置１０を使用する場合の操作と電力量計検査装置１０の動作フローを示す。検査員が電力量計検査装置１０を電力量計１００に接続すると、電力量計検査装置１０は、接続された端子の電圧・電位検出（ステップＳ１１０）を行う。その後、各端子間の電圧・電位の測定を行う（ステップＳ１２０）。接続された端子の電圧・電位検出から３相であった場合は、相回転の検出を行う（ステップＳ１３０）。これらの測定または検出したデータをもとに判別手段による判別を行う（ステップＳ１４０）。判別手段は電子回路で作成して良いし、マイクロコンピュータを電力量計検査装置１０の内部に設けて、ソフトウエアにより処理しても良い。判別手段については詳細に後で説明をする。測定判別した結果表示を行う（ステップＳ１５０）。検査員は電圧と相回転とを設置した本来の仕様に合致しているか否かを表示部５０で確認する。
【００２９】
また、検査員は接続状態のままで、電力量計１００の動作確認を行う。電力量計検査装置１０は電気負荷２０が内蔵されている。電力量計１００に実負荷を接続しないで電力量計１００の動作を確認することができる（ステップＳ２１０）。電力量計１００に擬似的な電気負荷が接続されるので、実負荷が接続されない場合でも電力量計１００が動作する。電力量計１００が誘導型電力量計の場合は円盤が回転し、電力量計１００が電子式電力量計の場合は時刻表示部のコロンマーク（●マーク）が点滅することで、検査員は電力量計１００の動作確認をすることができる。
【００３０】
したがって、実際の電気機器等を使用することで長時間を要することなく、検査員は電力量計１００の動作確認をすることができる。
【００３１】
図５は、判定手段による判定とその後の処理の一実施例を示すフローチャート図である。以下フローチャート図にしたがって、判定手段による判定の詳細を説明する。
【００３２】
上記で説明した、電圧・電位検出（ステップＳ１１０）と電圧・電位測定（ステップＳ１２０）の測定データをもとに、単相２線式か否かを判定する（ステップＳ７２０）。ＹＥＳの場合は、各端子間の電圧測定とその表示を行う（ステップＳ７４０）。その後、アース電位測定を行い表示する（ステップＳ７５０）。そして、判定結果を表示部５０に表示する（ステップＳ８００）。
【００３３】
単相２線式か否かの判定（ステップＳ７２０）がＮＯの場合は、単相３線式か否かが判定される（ステップＳ７３０）。判定がＹＥＳの場合は各端子間の電圧測定とその表示を行う（ステップＳ７８０）。その後、アース電位測定を行い表示する（ステップＳ７９０）。そして、判定結果を表示部５０に表示する（ステップＳ８００）。
【００３４】
単相３線式か否かが判定され（ステップＳ７３０）、判定がＮＯの場合は、三相であると推定されるので、各端子間の電圧測定を３端子間で行いその表示を行う（ステップＳ７６０）。その後、相回転の検出と表示を行う（ステップＳ７７０）。そして、判定結果を表示部５０に表示する（ステップＳ８００）。
【００３５】
表示部５０による表示内容は、電圧測定結果（例えば、単相２線１００Ｖ、単相２線２００Ｖ、単相３線１００Ｖ／２００Ｖ、三相３線２００Ｖ等）、３相の場合は相回転（正相、逆相）、電位（例えば、単相２線１００Ｖ、単相３線１００Ｖ／２００Ｖの場合は、２Ｓの電位がほぼ０Ｖであることを表示する。）である。また、例えば、誤結線、電柱上のヒューズ切れなどの異常な場合はエラー表示するとともに警報を鳴らすこともできる。
【００３６】
以上のように、本願発明の電力量計検査装置１０を用いることにより、電力量計の設置に伴う配線方式、電圧、相回転および電力量計の動作確認等の一連の必要な検査をすることができる。また、実際の電気機器等を使用することで長時間要することなく、検査員は電力量計１００の動作確認をすることができる。
【００３７】
また、検査員は測定する際に表側の表示部５０を見ながら行うことができるので、端子の位置は一義的に決まる。また、端子７１、７２、７３と端子６１、６２、６３との配置は、電力量計１００の端子７１ａ、７２ａ、７３ａと端子６１ａ、６２ａ、６３ａとの配列とピッチを合致させている。したがって、測定に不慣れな検査員でも、測定方法を誤り逆接続することや、活線端子間を短絡させることがあるという問題を解決することができる。
【００３８】
［第２の実施形態］
図６は、第１の実施形態の電力量計検査装置１０と外形上異なる変形例を示す図である。図６に示す電力量計検査装置１０ａは端子の数が４本である点が電力量計検査装置１０と異なる。電力量計検査装置１０ａは、例えば、単相２線式を検査することができるので、単相２線式電力量計を検査する場合に用いられる。電力量計検査装置１０ａの内部に設けられた電圧測定手段と電気負荷とは、電力量計検査装置１０の電圧測定手段と電気負荷と同じである。しかし、電力量計検査装置１０ａは、この内部に相回転検出手段を備えていないので、軽量小型にすることができる。
【００３９】
測定端子部８０の配列と単相２線式電力量計の端子の配列とはピッチが同じであるので、電力量計検査装置１０ａの端子７１、７２および端子６１、６２は、単相２線式電力量計の端子に、直接接続できる。具体的には、端子６１、６２は単相２線式電力量計の負荷側の配列とピッチが同じであるので、端子６１、６２は単相２線式電力量計の負荷側の端子に接触する。測定端子部８０の端子７１、７２は電力量計１００の電源側端子の配列とピッチが同じであるので、測定端子部８０の端子７１、７２は単相２線式電力量計の電源側に接触する。表示部５０は単相２線式電力量計の測定結果を表示する。電力量計検査装置１０ａは第１の実施形態と同様の作用効果を奏する。
【００４０】
［第３の実施形態］
図７は、測定端子部８０の測定端子が６本の場合に単相２線式電力量計について検査をする場合の、電力量計検査装置１０とアダプタ２００との接合を示している。電力量計検査装置１０の測定端子部８０が単相２線式電力量計の端子の配列やピッチが異なる場合にアダプタ２００を使用する。具体的には、アダプタ２００の単相２線式電力量計と接触する側の端子２７１、２７２、２６１、２６２は、単相２線式電力量計の端子の配列とピッチが同じである。アダプタ２００の電力量計検査装置１０が挿入される側の挿入部７１ｂ、７２ｂ、７３ｂ、６３ｂ、６２ｂ、６１ｂの配列とピッチは電力量計検査装置１０の端子７１、７２、７３、６３、６２、６１の配列とピッチは同じである。したがって、アダプタ２００は、電力量計検査装置１０に密着することができる。また、アダプタ２００は、端子２７１、２７２、２６１、２６２と端子７１、７２、６１、６２とを内部で導通している。
【００４１】
したがって、単相２線式電力量計の端子の配列とピッチが電力量計検査装置１０の端子と異なる場合であっても、検査員は、電力量計検査装置１０にアダプタ２００を装着することにより、アダプタ２００と一体となった電力量計検査装置１０を単相２線式電力量計に接続させることができる。したがって、アダプタ２００を備えた電力量計検査装置１０は電力量計検査装置１０ａと同様の作用効果を奏する。
【００４２】
［第４の実施形態］
図８に示すように、電力量計検査装置１０ｃは、電圧測定部１０ｃ’と電気負荷接続部１０ｃ”とを含む。電圧測定部１０ｃ’の電圧測定部・相回転検出部は端子４７１、４７２、４７３に接続され、電気負荷接続部１０ｃ”の電気負荷は端子４６１、４６２、４６３に接続されている。検査員は電圧測定部・相回転検出部を備える電圧測定部１０ｃ’を使用して電力量計１００への配線確認をすることができる。検査員は同様に電気負荷を備える電気負荷接続部１０ｃ”を使用して電力量計１００の動作確認をすることができる。電圧測定部１０ｃ’と電気負荷接続部１０ｃ”とは、アダプタ３００によって一体となって電圧・電位測定、相回転検出、電気負荷接続を行う。
【００４３】
アダプタ３００の電力量計１００と接触する側の端子３７１、３７２、３７３、３６１、３６２、３６３は、電力量計１００の端子の配列とピッチが同じである。アダプタ３００の電圧測定部１０ｃ’が挿入される側の挿入部４７１ａ、４７２ａ、４７３ａの配列とピッチは電圧測定部１０ｃ’の端子４７１、４７２、４７３の配列とピッチが同じである。アダプタ３００の電気負荷接続部１０ｃ”が挿入される側の挿入部４６１ａ、４６２ａ、４６３ａの配列とピッチは電気負荷接続部１０ｃ”の端子４６１、４６２、４６３の配列とピッチが同じである。したがって、電力量計検査装置１０ｃは、アダプタ３００に電圧測定部１０ｃ’と電気負荷接続部１０ｃ”とを組み付けることにより、電力量計検査装置１０と同様の作用効果を奏する。
【００４４】
［第５の実施形態］
図９に示すように、電力量計検査装置１０ｄは、電力量計検査装置１０にガイド９１０を備えている。ガイド９１０は、電力量計検査装置１０ｄを電力量計１００に使用するときに、電力量計検査装置１０ｄの端子が電力量計１００の端子に差し込まれるような位置に形成されている。ガイド９１０は絶縁物からなり、測定端子の接触を防止するため測定端子よりも長く出ている。ガイド９１０の先端９１１は可動式になっていて、押すと引き込む構造になっているから、ガイド９１０を押し込むことにより測定端子が電力量計１００の端子に接触する。ガイド９１０は１個でも可能で、測定端子の間に設けても同様に実現することができる。
【００４５】
図９は、単相三線式または三相３線式で、測定端子の外側に２個のガイド９１０を設けた場合を示している。これにより、電力量計検査装置１０ｄは、電力量計１００の正確な位置に接続される。具体的には、検査員は、誤って電力量計検査装置１０の右側の端子６１、６２を電力量計１００の電源側に接続しようにも接続することができない。
【００４６】
つまり、検査員が電力量計検査装置１０の負荷側の端子６１、６２を電力量計１００の電源側に誤って接続させようとしても、ガイド９１０が先に電力量計１００の所定の位置以外の位置に接触するので、誤接続が防止される。検査員がガイド９１０を電力量計１００の枠等に沿わせれば、測定端子と電力量計１００の端子とが接触することになり、正常に接触させることができる。
【００４７】
以上、本発明の実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。例えば、液晶表示は他の表示器、例えばＬＥＤを用いても同様に実現することができる。
【図面の簡単な説明】
【００４８】
【図１】本発明に係る第１の実施形態の電力量計検査装置の構成を示すブロック図である。
【図２】図１に示す電力量計検査装置の外観図である。
【図３】図１に示す電力量計検査装置と電力量計とを接続する場合の図である。
【図４】検査員が図１に示す電力量計検査装置を使用する場合の操作と電力量計検査装置の動作フローを示す。
【図５】判定手段による判定とその後の処理の一実施例を示すフローチャート図である。
【図６】本発明に係る第２の実施形態の電力量計検査装置を示す図である。
【図７】本発明に係る第３の実施形態の電力量計検査装置とアダプタとの接合を示す図である。
【図８】本発明に係る第４の実施形態の電力量計検査装置とアダプタとの接合を示す図である。
【図９】本発明に係る第５の実施形態の電力量計検査装置を示す図である。
【符号の説明】
【００４９】
１０、１０ａ、１０ｃ、１０ｄ  電力量計検査装置
２０  電気負荷
３０  電圧測定手段
４０  相回転検出手段
５０  表示部
６１〜６３  負荷側端子
７１〜７３  電源側端子
８０  測定端子部
１００  電力量計
【図１】
0004738244.tif 000002
【図２】
0004738244.tif 000003
【図３】
0004738244.tif 000004
【図４】
0004738244.tif 000005
【図５】
0004738244.tif 000006
【図６】
0004738244.tif 000007
【図７】
0004738244.tif 000008
【図８】
0004738244.tif 000009
【図９】
0004738244.tif 000010